(57)【要約】【課題】使用者の身体に対するフィット性及び保温性が高められた立体キルト式掛け布団を提供する。【解決手段】立体キルト式掛け布団１００は、表側に配置される表布１０と、表布１０に対向して、使用者の身体側に配置される裏布２０と、表布１０と裏布２０との間に介在して両者に縫合され、表布１０と裏布２０との間に間隔を確保する高さを有し、表布１０及び裏布２０と共に、平面視で行列状に配置される複数の中空セルＣを画定するマチ布３０と、各々の中空セルＣに充填された保温材４０と、を備える。各々の中空セルＣの、マチ布３０の高さ方向中間位置を通る仮想平面Ｓより身体側の身体側容積が、仮想平面Ｓより表側の表側容積よりも大きく形成されている。【選択図】図４
0003204290.tif 000002
【実用新案登録請求の範囲】
【請求項１】
表側に配置される表布と、
前記表布に対向して、使用者の身体側に配置される裏布と、
前記表布と前記裏布との間に介在して両者に縫合され、前記表布と前記裏布との間に間隔を確保する高さを有し、前記表布及び前記裏布と共に、平面視で行列状に配置される複数の中空セルを画定するマチ布と、
各々の前記中空セルに充填された保温材と、を備え、
各々の前記中空セルの、前記マチ布の高さ方向中間位置を通る仮想平面より前記身体側の身体側容積が、前記仮想平面より前記表側の表側容積よりも大きく形成されている立体キルト式掛け布団。
【請求項２】
幅方向中央部分に位置する前記中空セルの前記身体側容積が、幅方向両端に位置する前記中空セルの前記身体側容積よりも大きく形成されている請求項１に記載の立体キルト式掛け布団。
【請求項３】
前記裏布と前記マチ布との縫合部分に、タックが形成されている請求項１又は２に記載の立体キルト式掛け布団。
【考案の詳細な説明】
【技術分野】
【０００１】
本考案は、立体キルト式掛け布団に関する。
【背景技術】
【０００２】
立体キルトと称される構造を有する立体キルト式掛け布団が知られている（例えば、特許文献１参照）。立体キルトとは、対向して配置される表布と裏布を、両者間を格子状に仕切るマチ布を介して縫合し、それら表布、裏布、及びマチ布によって画定される複数の中空セルの各々に羽毛や綿等の保温材を充填した構造を指す。
【先行技術文献】
【特許文献】
【０００３】
【特許文献１】特開２００２−３４５６１４号公報
【考案の概要】
【考案が解決しようとする課題】
【０００４】
従来の立体キルト式掛け布団は、使用者の身体に対するフィット性及び保温性を高めることに関して改善の余地を残していた。
【０００５】
本考案は、かかる実情に鑑みて成されたものであり、使用者の身体に対するフィット性及び保温性が高められた立体キルト式掛け布団を提供することを目的とする。
【課題を解決するための手段】
【０００６】
上記目的を達成するために、本考案に係る立体キルト式掛け布団は、
表側に配置される表布と、
前記表布に対向して、使用者の身体側に配置される裏布と、
前記表布と前記裏布との間に介在して両者に縫合され、前記表布と前記裏布との間に間隔を確保する高さを有し、前記表布及び前記裏布と共に、平面視で行列状に配置される複数の中空セルを画定するマチ布と、
各々の前記中空セルに充填された保温材と、を備え、
各々の前記中空セルの、前記マチ布の高さ方向中間位置を通る仮想平面より前記身体側の身体側容積が、前記仮想平面より前記表側の表側容積よりも大きく形成されている。
【０００７】
幅方向中央部分に位置する前記中空セルの前記身体側容積が、幅方向両端に位置する前記中空セルの前記身体側容積よりも大きく形成されていてもよい。
【０００８】
前記裏布と前記マチ布との縫合部分に、タックが形成されていてもよい。
【考案の効果】
【０００９】
本考案によれば、各々の中空セルの身体側容積が表側容積よりも大きく形成されているので、使用者の身体に対するフィット性及び保温性を高めることができる。
【図面の簡単な説明】
【００１０】
【図１】（Ａ）は実施形態１に係る立体キルト式掛け布団の表側の外観を示す斜視図であり、（Ｂ）は同立体キルト式掛け布団の身体側の外観を示す斜視図である。
【図２】（Ａ）はマチ布の身体側の斜視図であり、（Ｂ）はクッション部を示す透過斜視図である。
【図３】クッション部を身体側からみた拡大斜視図である。
【図４】立体キルト式掛け布団の長さ方向に垂直な断面を示す断面図であり、（Ａ）は実施形態１に係る立体キルト式掛け布団を示し、（Ｂ）は実施形態２に係る立体キルト式掛け布団を示し、（Ｃ）は実施形態３に係る立体キルト式掛け布団を示す。
【考案を実施するための形態】
【００１１】
以下、図面を参照し、本考案の実施形態に係る立体キルト式掛け布団について説明する。図中、同一又は対応する部分に同一の符号を付す。
【００１２】
図１（Ａ）に、実施形態１に係る立体キルト式掛け布団１００を表側からみた外観を示す。この立体キルト式掛け布団１００は、その幅方向及び長さ方向に、クッション部５０が行列状に配列された外観構成を有する。ここで、幅方向とは、使用者の肩幅の方向と平行な方向を指し、長さ方向とは、使用者の身長の方向と平行な方向を指す。図１（Ａ）には、クッション部５０が長さ方向に６行、幅方向に５列配列された構成を示すが、クッション部５０の配列数は特に限定されない。
【００１３】
各々のクッション部５０は、平面視で略矩形状をなしており、厚さ方向に関して表側及び使用者の身体側の双方に膨らみを有する。
【００１４】
図１（Ｂ）は、立体キルト式掛け布団１００の、使用者の身体側の外観を示す。図示のように、各々のクッション部５０の、身体側の膨らみの高さは、表側の膨らみの高さよりも高い。
【００１５】
また、幅方向中央に位置するクッション部５０の身体側の膨らみの高さは、他のクッション部５０の身体側の膨らみの高さよりも高い。その身体側に相対的に高いクッション部５０が、立体キルト式掛け布団１００の長さ方向に全長にわたって１列に配列されている。
【００１６】
以下、立体キルト式掛け布団１００の上述した外観構成を実現するための内部の構成について説明する。
【００１７】
図４（Ａ）は、立体キルト式掛け布団１００の長さ方向に垂直な断面を示す。図示のように、立体キルト式掛け布団１００は、表側（図４（Ａ）では上側）に配置される表布１０と、表布１０に対向して、使用者の身体側（図４（Ａ）では下側）に配置される裏布２０と、表布１０と裏布２０との間に介在して両者に縫合され、表布１０と裏布２０との間に間隔を確保する高さを有し、表布１０及び裏布２０と共に、複数の中空セルＣを画定するマチ布３０と、各々の中空セルＣに充填された保温材４０と、を備える。
【００１８】
図２（Ａ）は、マチ布３０の身体側の斜視図である。図示のように、マチ布３０は、帯状のマチテープ３０ａ〜３０ｉを、格子状に組んだ構造を有する。マチテープ３０ａ〜３０ｉの各々の幅方向は、マチ布３０の高さ方向に等しい。マチテープ３０ａ〜３０ｉの幅方向表側の端部は、同一平面内に揃えられている。
【００１９】
また、立体キルト式掛け布団１００の幅方向に並ぶマチテープ３０ａ〜３０ｄのうち、立体キルト式掛け布団１００の幅方向中央部分のマチテープ３０ｂ及び３０ｃには、相対的に幅広のものが用いられている。それら相対的に幅広なマチテープ３０ｂ及び３０ｃは、使用者の身体側に突出している。
【００２０】
図２（Ｂ）に示すように、マチ布３０を上下から表布１０と裏布２０とで挟み、マチ布３０と表布１０、及びマチ布３０と裏布２０とを縫合することにより、マチ布３０で構成される格子の各升目において、中空セルＣが画定される。マチ布３０がマチテープ３０ａ〜３０ｄを格子状に組んだ構造を有するため、中空セルＣは平面視で行列状に配置される。
【００２１】
図４（Ａ）に戻って、中空セルＣに保温材４０が充填されることで、クッション部５０が構成される。保温材４０には、羽毛が用いられる。なお、保温材４０は、保温性を有するものであれば特に限定されない。例えば、保温材４０として、羽毛に代えて、又は羽毛と共に、羽根、羊毛、真綿、木綿、及び化学繊維からなる群より選択される１種以上を用いることもできる。
【００２２】
各々のクッション部５０において、裏布２０の面積は、対向する表布１０の面積よりも大きい。即ち、保温材４０が未充填の状態においては、各々の中空セルＣを画定する裏布２０の弛み量は、対向する表布１０の弛み量よりも大きい。
【００２３】
このため、各々の中空セルＣの、マチ布３０の高さ方向中間位置を通る仮想平面Ｓより身体側（図４（Ａ）では下側）の身体側容積が、仮想平面Ｓより表側（図４（Ａ）では上側）の表側容積よりも大きい。ここで、マチ布３０の高さ方向中間位置を通る仮想平面Ｓとは、マチ布３０の高さが、立体キルト式掛け布団１００の幅方向又は長さ方向の位置によって異なることにより複数の仮想平面が想定されうる場合、最も表側に配置される仮想平面を指すものとする。
【００２４】
なお、図４（Ａ）には、仮想平面Ｓに関して表布１０に対称な対称面Ｔを破線で示す。対称面Ｔが裏布２０より仮想平面Ｓ側に位置することは、上記身体側容積が、上記表側容積よりも大きいことを示す。これにより、身体側の膨らみの高さが、表側の膨らみの高さよりも高いクッション部５０が実現される。
【００２５】
クッション部５０の身体側の膨らみは、立体キルト式掛け布団１００と使用者の身体との隙間を埋め、フィット性を高めることに関して、表側の膨らみよりも大きく寄与する。そこで、クッション部５０の身体側の膨らみを、表側の膨らみよりも大きく形成することで、使用者の身体に対するフィット性を高めることができ、保温性も高められる。
【００２６】
また、幅方向（図４（Ａ）では左右方向）に関して、中央に位置する中空セルＣの身体側容積が、他のいずれの中空セルＣの身体側容積よりも大きい。これにより、幅方向中央に位置するクッション部５０の身体側の膨らみの高さを、他のクッション部５０の身体側の膨らみの高さよりも高くした構成が実現される。幅方向中央に位置するクッション部５０は、使用者の身体の真上に位置するため、フィット性及び保温性に特に大きく寄与する。このため、幅方向中央に位置するクッション部５０の身体側の膨らみの高さを相対的に高く形成することで、フィット性及び保温性を一層高めることができる。
【００２７】
図２（Ａ）を参照して述べたように、立体キルト式掛け布団１００の幅方向中央部分のマチテープ３０ｂ及び３０ｃが、残余のマチテープ３０ａ及び３０ｄよりも幅広に形成されている。具体的には、マチテープ３０ｂ及び３０ｃの幅は、例えば６ｃｍであり、マチテープ３０ａ及び３０ｄの幅は、例えば３ｃｍである。これにより、立体キルト式掛け布団１００の幅方向中央に位置する中空セルＣの身体側容積を大きくすることを容易に実現できる。
【００２８】
図３は、１つのクッション部５０の身体側を示す拡大斜視図である。図示のように、裏布２０とマチ布３０との縫合部分にタック６０が形成されている。これにより、美観を損なうことなく、裏布２０の面積を、対向する表布１０の面積よりも大きく確保することができ、中空セルＣの身体側容積を、表側容積よりも大きく形成できる。なお、表布１０とマチ布３０との縫合部分にもタック６０を形成してもよいのは勿論である。
【００２９】
図４（Ｂ）は、実施形態２に係る立体キルト式掛け布団２００の長さ方向に垂直な断面を示す。この立体キルト式掛け布団２００では、その幅方向中央の中空セルＣの身体側容積を更に大きく形成している。また、幅方向中央の中空セルＣの両隣の中空セルＣの身体側容積も、中央の中空セルＣの身体側容積と等しく形成している。これにより、フィット性及び保温性をより一層高めることができる。
【００３０】
また、本実施形態２では、立体キルト式掛け布団２００の周縁にも、マチテープ３０ｊ及び３０ｋを設けている。マチテープ３０ｊ及び３０ｋの幅は、例えば６ｃｍである。
【００３１】
なお、図４（Ｂ）には、幅方向両端のマチテープ３０ｊ及び３０ｋを示すが、立体キルト式掛け布団２００の長さ方向両端にも、マチテープ３０ｊ及び３０ｋと同じ幅を有するマチテープを設けている。これにより、幅方向両端及び長さ方向両端の中空セルＣも充分な容量を確保でき、使用時に幅方向両端又は長さ方向両端から暖気が逃げることを防止する効果を高めることができ、かつ美観を高めることができる。
【００３２】
図４（Ｃ）は、実施形態３に係る立体キルト式掛け布団３００の長さ方向に垂直な断面を示す。本実施形態では、幅方向中央のマチテープ３０ｂ’及び３０ｃ’の幅を、残余のマチテープ３０ａ及び３０ｄと同じく３ｃｍとしている。この立体キルト式掛け布団３００のように、必ずしも幅方向中央の中空セルＣの身体側容積を相対的に大きく形成しなくてもよい。
【００３３】
本実施形態３でも、各々の中空セルＣの身体側容積が、表側容積よりも大きく形成されているので、使用者の身体に対するフィット性を高めることができ、かつ保温性を高めることができる。
【００３４】
以上、本考案の実施形態について説明したが、本考案はこれに限られない。上記実施形態は、本考案を説明するためのものであり、本考案の範囲を限定するものではない。本考案の範囲は、実施形態ではなく、実用新案登録請求の範囲によって示される。実用新案登録請求の範囲内及びそれと同等の考案の意義の範囲内で施される様々な変形が、本考案の範囲内とみなされる。
【符号の説明】
【００３５】
１０…表布、２０…裏布、３０…マチ布、３０ａ〜３０ｋ，３０ｂ’，３０ｃ’…マチテープ、４０…保温材、５０…クッション部、６０…タック、１００，２００，３００…立体キルト式掛け布団、Ｃ…中空セル、Ｓ…仮想平面、Ｔ…対称面。
【図１】
0003204290.tif 000003
【図２】
0003204290.tif 000004
【図３】
0003204290.tif 000005
【図４】
0003204290.tif 000006